(57)【要約】  本発明は、電磁誘導式無線給電システム及びその負荷急変保護回路に関し、該無線給電システムは、無線給電側（１００）及び無線受信側（２００）を備え、無線受信側は、共振受信ユニット（２１０）、及び整流電圧調整ユニット（２２０）を備え、整流電圧調整ユニットは、共振受信ユニットに接続され、共振受信ユニットが受け取る電気エネルギーを処理することにより、安定化電源（ＶＣＣ）を出力し、該負荷急変保護回路は、安定化電源及び負荷（１０）のそれぞれに接続され、負荷が突然にオフになり安定化電源の電圧が第１所定電圧よりも高くなる場合に負荷をオンにする過電圧保護ユニット（２３１）と、安定化電源及び負荷のそれぞれに接続され、負荷が突然にオンになり安定化電源の電圧が第２所定電圧より低くなる場合に負荷をオフにする不足電圧保護ユニット（２３２）と、を備える。該電磁誘導式無線給電システム及びその負荷急変保護回路は、負荷急変による回路におけるデバイスの破壊、システムの作動停止などの問題を効果的に解決できる。
2021500718.tif 000002
【特許請求の範囲】
【請求項１】
電磁誘導式無線給電システムの負荷急変保護回路であって、
前記電磁誘導式無線給電システムは、無線給電側（１００）及び無線受信側（２００）を備え、前記無線受信側（２００）は、共振受信ユニット（２１０）、前記共振受信ユニット（２１０）に接続された整流電圧調整ユニット（２２０）を備え、前記整流電圧調整ユニット（２２０）は、前記共振受信ユニット（２１０）が受け取る電気エネルギーを処理することにより、安定化電源ＶＣＣを出力し、
前記負荷急変保護回路（２３０）は、
前記安定化電源ＶＣＣ及び負荷（１０）のそれぞれに接続され、前記負荷（１０）が突然にオフになり前記安定化電源ＶＣＣの電圧が第１所定電圧よりも高くなる場合に前記負荷（１０）をオンにする過電圧保護ユニット（２３１）と、
前記安定化電源ＶＣＣ及び前記負荷（１０）のそれぞれに接続され、前記負荷（１０）が突然にオンになり前記安定化電源ＶＣＣの電圧が第２所定電圧より低くなる場合に前記負荷（１０）をオフにする不足電圧保護ユニット（２３２）と、を備える、
ことを特徴とする電磁誘導式無線給電システムの負荷急変保護回路。
【請求項２】
前記過電圧保護ユニット（２３１）は、
陰極が前記安定化電源ＶＣＣ及び前記負荷（１０）のそれぞれの正極側に接続される第１定電圧放電管ＺＤ１と、
一端が前記第１定電圧放電管ＺＤ１の陽極に接続される第１抵抗Ｒ３と、
ベースＢが前記第１抵抗Ｒ３の他端に接続され、エミッタＥが接地し、コレクターＣが前記負荷（１０）の負極側に接続される第１トランジスタＱ１と、を備える、
ことを特徴とする請求項１に記載の電磁誘導式無線給電システムの負荷急変保護回路。
【請求項３】
前記不足電圧保護ユニット（２３２）は、
陰極が前記安定化電源ＶＣＣ及び前記負荷（１０）のそれぞれの正極側に接続される第２定電圧放電管ＺＤ４と、
一端が前記第２定電圧放電管ＺＤ４の陽極に接続される第２抵抗Ｒ１９と、
ベースＢが前記第２抵抗Ｒ１９の他端に接続され、エミッタＥが接地する第２トランジスタＱ２と、
エミッタＥが前記第２トランジスタＱ２のコレクターＣに接続され、コレクターＣが前記負荷（１０）の負極側に接続され、ベースＢが第３抵抗Ｒ４を介して前記無線受信側（２００）の主制御チップ（２０）に接続され、前記無線受信側（２００）の主制御チップ（２０）の制御により導通又は遮断する第３トランジスタＱ３と、を備える
ことを特徴とする請求項１又は２に記載の電磁誘導式無線給電システムの負荷急変保護回路。
【請求項４】
前記共振受信ユニット（２１０）は、
前記無線給電側（１００）の無線送信コイルＬ２に適合して設けられ、前記無線送信コイルＬ２に電磁結合されて前記無線給電側（１００）と前記無線受信側（２００）との間で電気エネルギーを伝送することを可能にする無線受信コイルＬ１と、
第１共振コンデンサＣ３の一端が無線受信コイルＬ１の一端に接続され、第１共振コンデンサＣ３の他端が第２共振コンデンサＣ５の一端に接続され且つ第１ノードＪ１を有し、第２共振コンデンサＣ５の他端が無線受信コイルＬ１の他端に接続され且つ第２ノードＪ２を有する第１共振コンデンサＣ３及び第２共振コンデンサＣ５と、を備える、
ことを特徴とする請求項１に記載の電磁誘導式無線給電システムの負荷急変保護回路。
【請求項５】
前記整流電圧調整ユニット（２２０）は、整流ブリッジ（２２１）及び定電圧回路（２２２）を備え、前記整流ブリッジ（２２１）の第１入力端が前記第１ノードＪ１に接続され、前記整流ブリッジ（２２１）の第２入力端が前記第２ノードＪ２に接続され、前記整流ブリッジ（２２１）の第１出力端が前記定電圧回路（２２２）に接続され、前記整流ブリッジ（２２１）の第２出力端が接地する、
ことを特徴とする請求項４に記載の電磁誘導式無線給電システムの負荷急変保護回路。
【請求項６】
前記定電圧回路（２２２）は、
正極側が前記整流ブリッジ（２２１）の第１出力端に接続され、負極側が接地する第１電解コンデンサＥＣｌと、
一端が前記第１電解コンデンサＥＣ１の正極側に接続され且つ第３ノードＪ３を有し、前記定電圧回路（２２２）が前記第３ノードＪ３を介して前記安定化電源ＶＣＣを出力する第４抵抗Ｒ１と、
一端が前記第４抵抗Ｒ１の他端に接続され、他端が接地する第５抵抗Ｒ２と、
前記第５抵抗Ｒ２に並列接続される第１コンデンサＣ６と、を備える、
ことを特徴とする請求項５に記載の電磁誘導式無線給電システムの負荷急変保護回路。
【請求項７】
前記無線受信側（２００）は、通信復調回路（２４０）及び通信変調回路（２５０）を備え、前記通信復調回路（２４０）は、主制御チップ（２０）と前記無線受信コイルＬ１の他端との間に接続され、前記通信変調回路（２５０）は、前記主制御チップ（２０）と前記無線受信コイルＬ１の一端との間に接続され、前記主制御チップ（２０）は、前記無線受信コイルＬ１及び前記通信復調回路（２４０）を介して前記無線給電側（１００）から送信される通信情報を受信し、前記通信変調回路（２５０）及び前記無線受信コイルＬ１を介して前記無線給電側（１００）に通信情報を送信する、
ことを特徴とする請求項４に記載の電磁誘導式無線給電システムの負荷急変保護回路。
【請求項８】
請求項１〜７のいずれか１項に記載の電磁誘導式無線給電システムの負荷急変保護回路を備える、
ことを特徴とする電磁誘導式無線給電システム。
【請求項９】
請求項８に記載の電磁誘導式無線給電システムを備える、
ことを特徴とする別体式調理器具。
【請求項１０】
前記無線給電側は、別体式調理器具の釜体の内部に設けられ、前記無線受信側は、別体式調理器具の釜蓋の内部に設けられる、
ことを特徴とする請求項９に記載の別体式調理器具。
【請求項１１】
別体式炊飯器又は別体式電気圧力鍋である、
ことを特徴とする請求項９に記載の別体式調理器具。
【発明の詳細な説明】
【技術分野】
【０００１】
本発明は、家電製品の技術分野に関し、特に電磁誘導式無線給電システムの負荷急変保護回路、電磁誘導式無線給電システム、及び該電磁誘導式無線給電システムを備える別体式調理器具に関する。
【背景技術】
【０００２】
無線給電技術は、無線接続の優位性を生かして、ワイヤ接続による構造のデザインの制限を解消し、応用の将来性が期待できる。たとえば、無線給電技術を別体式加熱プラットフォームに適用すると、載置部分に対する無線給電が実現できる。
【０００３】
さらに、無線給電のパワー調整フィードバックは、無線給電通信に基づいており、通信周期が長いため、パワーフィードバックが遅くなるので、負荷が変化すると、パワー放射端子が出力電圧を設定値に調整するのに長い時間がかかり、その結果、出力電圧が明らかに変動し、深刻な場合は、システムの故障を引き起こし、たとえば、負荷が突然に増加すると、出力電圧を低下させ、無線受信側の電源が切れて、システムの作動が停止する可能性があり、一方、負荷が突然に低減すると、出力電圧が突然に上昇し、電圧が急激に上昇し、深刻な場合は、過電圧を引き起こしてチップを焼損する可能性がある。
【発明の概要】
【発明が解決しようとする課題】
【０００４】
本発明は、上記技術の技術的課題の１つを少なくともある程度で解決することを目的とする。
【０００５】
したがって、本発明の１つの目的は、負荷急変による回路におけるデバイスの破損、システムの作動停止などの問題を解決できる電磁誘導式無線給電システムの負荷急変保護回路を提供することである。
【０００６】
本発明の第２目的は、電磁誘導式無線給電システムを提供することである。
【０００７】
本発明の第３目的は、別体式調理器具を提供することである。
【課題を解決するための手段】
【０００８】
上記目的を達成させるために、本発明の第１態様は、電磁誘導式無線給電システムの負荷急変保護回路を提供し、前記電磁誘導式無線給電システムは、無線給電側及び無線受信側を備え、前記無線受信側は、共振受信ユニットと、前記共振受信ユニットに接続された整流電圧調整ユニットとを備え、前記整流電圧調整ユニットは、前記共振受信ユニットが受け取る電気エネルギーを処理することにより、安定化電源を出力し、前記負荷急変保護回路は、前記安定化電源及び負荷のそれぞれに接続され、前記負荷が突然にオフになり前記安定化電源の電圧が第１所定電圧よりも高くなる場合に前記負荷をオンにする過電圧保護ユニットと、前記安定化電源及び前記負荷のそれぞれに接続され、前記負荷が突然にオンになり前記安定化電源の電圧が第２所定電圧より低くなる場合に前記負荷をオフにする不足電圧保護ユニットと、を備える。
【０００９】
本発明に係る電磁誘導式無線給電システムの負荷急変保護回路において、負荷が突然にオフになり安定化電源の電圧が第１所定電圧より高くなる場合、過電圧保護ユニットにより負荷をオンにし、且つ、負荷が突然にオンになり安定化電源の電圧が第２所定電圧より低くなる場合、不足電圧保護ユニットにより負荷をオフにする。それによって、負荷急変による回路におけるデバイスの破壊、システムの作動停止などの問題を効果的に解決できる。
【００１０】
また、本発明に係る上記電磁誘導式無線給電システムの負荷急変保護回路は、下記付加的な技術的特徴を有してもよい。
【００１１】
具体的には、前記過電圧保護ユニットは、陰極が前記安定化電源及び前記負荷のそれぞれの正極側に接続される第１定電圧放電管と、一端が前記第１定電圧放電管の陽極に接続される第１抵抗と、ベースが前記第１抵抗の他端に接続され、エミッタが接地し、コレクターが前記負荷の負極側に接続される第１トランジスタと、を備える。
【００１２】
具体的には、前記不足電圧保護ユニットは、陰極が前記安定化電源及び前記負荷のそれぞれの正極側に接続される第２定電圧放電管と、一端が前記第２定電圧放電管の陽極に接続される第２抵抗と、ベースが前記第２抵抗の他端に接続され、エミッタが接地する第２トランジスタと、エミッタが前記第２トランジスタのコレクターに接続され、コレクターが前記負荷の負極側に接続され、ベースが第３抵抗を介して前記無線受信側の主制御チップに接続され、前記無線受信側の主制御チップの制御により導通又は遮断する第３トランジスタと、を備える。
【００１３】
具体的には、前記共振受信ユニットは、前記無線給電側の無線送信コイルに適合して設けられ、前記無線送信コイルに電磁結合されて前記無線給電側と前記無線受信側との間で電気エネルギーを伝送することを可能にする無線受信コイルと、第１共振コンデンサの一端が前記無線受信コイルの一端に接続され、第１共振コンデンサの他端が第２共振コンデンサの一端に接続され且つ第１ノードを有し、前記第２共振コンデンサの他端が前記無線受信コイルの他端に接続され且つ第２ノードを有する第１共振コンデンサ及び第２共振コンデンサと、を備える。
【００１４】
具体的には、前記整流電圧調整ユニットは、整流ブリッジ及び定電圧回路を備え、前記整流ブリッジの第１入力端が前記第１ノードに接続され、前記整流ブリッジの第２入力端が前記第２ノードに接続され、前記整流ブリッジの第１出力端が前記定電圧回路に接続され、前記整流ブリッジの第２出力端が接地する。
【００１５】
さらに、前記定電圧回路は、正極側が前記整流ブリッジの第１出力端に接続され、負極側が接地する第１電解コンデンサと、一端が前記第１電解コンデンサの正極側に接続され且つ第３ノードを有し、前記定電圧回路が前記第３ノードを介して前記安定化電源を出力する第４抵抗と、一端が前記第４抵抗の他端に接続され、他端が接地する第５抵抗と、前記第５抵抗に並列接続される第１コンデンサと、を備える。
【００１６】
さらに、前記無線受信側は、通信復調回路及び通信変調回路を備え、前記通信復調回路は、前記主制御チップと前記無線受信コイルの他端との間に接続され、前記通信変調回路は、前記主制御チップと前記無線受信コイルの一端との間に接続され、前記主制御チップは、前記無線受信コイル及び前記通信復調回路を介して前記無線給電側から送信される通信情報を受信し、前記通信変調回路及び前記無線受信コイルを介して前記無線給電側に通信情報を送信する。
【００１７】
上記目的を達成させるために、本発明の第２態様による電磁誘導式無線給電システムは、本発明の第１態様に係る電磁誘導式無線給電システムの負荷急変保護回路を備える。
【００１８】
本発明の電磁誘導式無線給電システムは、上記電磁誘導式無線給電システムの負荷急変保護回路によって、負荷急変による回路におけるデバイスの破壊、システムの作動停止などの問題を効果的に解決できる。
【００１９】
上記目的を達成させるために、本発明の第３態様による別体式調理器具は、本発明の第２態様に係る電磁誘導式無線給電システムを備える。
【００２０】
具体的には、前記無線給電側は、別体式調理器具の釜体の内部に設けられ、前記無線受信側は、別体式調理器具の釜蓋の内部に設けられる。
【００２１】
さらに、前記別体式調理器具は、別体式炊飯器又は別体式電気圧力鍋である。
【００２２】
本発明の別体式調理器具は、上記電磁誘導式無線給電システムによって、負荷急変による回路におけるデバイスの破壊、システムの作動停止などの問題を効果的に解決できる。
【００２３】
本発明の付加的な態様の利点は、以下の説明に示され、以下の説明から明らかになり、又は本発明の実施により理解できる。
【図面の簡単な説明】
【００２４】
【図１】本発明の実施例に係る電磁誘導式無線給電システムの模式図である。
【図２】本発明の実施例に係る負荷急変保護回路を備える電磁誘導式無線給電システムの模式図である。
【図３】本発明の一実施例に係る電磁誘導式無線給電システムの無線受信側の回路模式図である。
【発明を実施するための形態】
【００２５】
以下、本発明の実施例を詳細に説明するが、前記実施例の例は、図面に示されており、図面を通じて同一又は類似した符号が、同一又は類似した素子又は同一又は類似した機能を有する素子を表す。以下、図面を参照しながら説明される実施例は、例示的であり、本発明を解釈するために過ぎず、本発明を制限するものとして理解できない。
【００２６】
以下、図面を参照しながら本発明の実施例に係る電磁誘導式無線給電システムの負荷急変保護回路、電磁誘導式無線給電システム、及び該電磁誘導式無線給電システムを備える別体式調理器具を説明する。
【００２７】
本発明の実施例では、別体式調理器具は、本発明の電磁誘導式無線給電システムを内蔵することができ、別体式調理器具は、別体式炊飯器又は別体式電気圧力鍋であってもよい。
【００２８】
図１に示されるように、本発明の実施例に係る電磁誘導式無線給電システムは、無線給電側１００及び無線受信側２００を備え、無線受信側２００は、共振受信ユニット２１０、共振受信ユニット２１０に接続された整流電圧調整ユニット２２０及び整流電圧調整ユニット２２０に接続された負荷急変保護回路２３０を備え得る。整流電圧調整ユニット２２０は、共振受信ユニット２１０が受け取る電気エネルギーを処理することにより、安定化電源を出力することができる。
【００２９】
本発明の一実施例では、図１に示されるように、無線受信側２００は、通信復調回路２４０及び通信変調回路２５０を備えることができ、通信復調回路２４０は主制御チップ２０と無線受信コイルＬ１の他端との間に接続され、通信変調回路２５０は主制御チップ２０と無線受信コイルＬ１の一端との間に接続され、主制御チップ２０は無線受信コイルＬ１及び通信復調回路２４０を介して無線給電側１００から送信される通信情報を受信し、通信変調回路２５０及び無線受信コイルＬ１を介して無線給電側１００に通信情報を送信する。
【００３０】
本発明の実施例では、無線給電側１００は、共振発信ユニット１１０、コイル駆動回路１２０、主制御チップ３０及び通信復調回路１３０を備えることができ、共振発信ユニット１１０はコイル駆動回路１２０に接続され、コイル駆動回路１２０は主制御チップ３０に接続され、通信復調回路１３０は主制御チップ３０及びコイル駆動回路１２０のそれぞれに接続される。
【００３１】
一例として、別体式調理器具の釜体には、本発明の電磁誘導式無線給電システムの無線給電側１００が設けられ、釜蓋には、本発明の電磁誘導式無線給電システムの無線受信側２００が設けられると想定する。
【００３２】
使用者が調理器具的釜体の電源を入れると、釜体の無線給電側１００の主制御チップ３０は、コイル駆動回路１２０が作動し始めて、釜体に設けられた共振発信ユニット１１０が交番電磁界を発生させるように駆動するように制御する。釜蓋に設けられた共振受信ユニット２１０は、該交番電磁界を検知すると、該交番電磁界に応じて誘導電圧信号を生成し、次に、釜蓋における整流電圧調整ユニット２２０は、該誘導電圧信号を処理して安定電源を出力し、釜蓋に設けられた負荷１０（圧力検出センサ、温度検出センサ、湿度検出センサ等）に給電する。
【００３３】
釜体が電磁誘導によって釜蓋に無線給電する過程において、釜蓋における無線受信側２００の主制御チップ２０は、検出した無線受信側２００の電圧値（たとえば、該電圧値は上記安定電源の電圧値である）を通信変調回路２５０及び無線受信コイルＬ１で無線給電側１００に送信する。次に、無線給電側１００の主制御チップ３０は、無線送信コイルＬ２及び通信復調回路１３０を介して無線受信側２００から送信された電圧値を受信し、送信パワーを調整することで無線受信側２００の電圧を調整し、それによって、無線給電の安定性を確保できる。
【００３４】
なお、上記実施例で説明された無線給電期間の通信間隔が長く、一般的には２０ｍｓより長いため、パワー調整に時間がかかり、負荷１０が変化する場合、出力電圧（即ち、整流電圧調整ユニット２２０から出力される安定電源の電圧）が波動しやすく、該電圧を制限しないと、電圧が高い場合、電圧によりデバイスが破壊され、電圧が低い場合、受信システム（即ち、無線受信側２００）が復位して作動しないことがある。
【００３５】
さらに、図２は、本発明の実施例に係る負荷急変保護回路を備える電磁誘導式無線給電システムの模式図である。
【００３６】
図２に示されるように、本発明の実施例の電磁誘導式無線給電システムの負荷急変保護回路２３０は、過電圧保護ユニット２３１及び不足電圧保護ユニット２３２を備え得る。
【００３７】
過電圧保護ユニット２３１は、安定化電源及び負荷１０のそれぞれに接続され、負荷１０が突然にオフになり安定化電源の電圧が第１所定電圧よりも高くなる場合に負荷１０をオンにする。不足電圧保護ユニット２３２は、安定化電源及び負荷１０のそれぞれに接続され、負荷１０が突然にオンになり安定化電源の電圧が第２所定電圧よりも低くなる場合に負荷１０をオフにする。第１所定電圧及び第２所定電圧は、いずれも実際の状況に応じてキャリブレーションすることができる。
【００３８】
たとえば、負荷１０が突然に切られると、無線給電側１００により供給されるパワーが一瞬に過剰となるため、整流電圧調整ユニット２２０から出力される安定化電源の電圧が一瞬に上昇し、該安定化電源の電圧が第１所定電圧よりも高ければ、主制御チップ２０は、過電圧保護ユニット２３１が負荷１０をオンにするように制御することにより、安定化電源の電圧を第１所定電圧以下に維持し、それによって、負荷急変による回路におけるデバイスの破壊を防止できる。
【００３９】
負荷１０が突然にオンになったとき、無線給電側１００が十分なパワーを供給しないので、整流電圧調整ユニット２２０から出力される安定化電源の電圧が下がり、該安定化電源の電圧が第２所定電圧より低くなれば、主制御チップ２０は、不足電圧保護ユニット２３２が負荷１０をオフにするように制御することにより、該安定化電源の電圧を第２所定電圧以上に維持し、それによって、負荷急変による無線受信側２００の作動停止の問題を回避する。
【００４０】
以下、図面を参照しながら、過電圧保護ユニット２３１及び不足電圧保護ユニット２３２の具体的な回路構造を詳細に説明する。
【００４１】
本発明の一実施例では、図３に示されるように、過電圧保護ユニット２３１は、第１定電圧放電管ＺＤ１、第１抵抗Ｒ３及び第１トランジスタＱ１を備えることができ、第１定電圧放電管ＺＤ１の陰極は、安定化電源ＶＣＣ及び負荷１０のそれぞれの正極側に接続され、第１抵抗Ｒ３の一端は、第１定電圧放電管ＺＤ１の陽極に接続され、第１トランジスタＱ１のベースＢは、第１抵抗Ｒ３の他端に接続され、第１トランジスタＱ１のエミッタＥは接地し、第１トランジスタＱ１のコレクターＣは負荷１０の負極側に接続される。
【００４２】
本発明の別の実施例では、図３に示されるように、不足電圧保護ユニット２３２は、第２定電圧放電管ＺＤ４、第２抵抗Ｒ１９、第２トランジスタＱ２及び第３トランジスタＱ３を備えることができ、第２定電圧放電管ＺＤ４の陰極は、安定化電源ＶＣＣ及び負荷１０のそれぞれの正極側に接続され、第２抵抗Ｒ１９の一端は、第２定電圧放電管ＺＤ４の陽極に接続され、第２トランジスタＱ２のベースＢは、第２抵抗Ｒ１９の他端に接続され、第２トランジスタＱ２のエミッタＥは接地し、第３トランジスタＱ３のエミッタＥは、第２トランジスタＱ２のコレクターＣに接続され、第３トランジスタＱ３のコレクターＣは、負荷１０の負極側に接続され、第３トランジスタＱ３のベースＢは、第３抵抗Ｒ４を介して無線受信側２００の主制御チップ２０に接続され、第３トランジスタＱ３は、無線受信側２００の主制御チップ２０の制御により導通又は遮断する。
【００４３】
具体的には、図３に示されるように、負荷１０は、第３トランジスタＱ３によって制御され、負荷１０が突然に切られると、無線給電側１００から供給されるパワーが一瞬に過剰となり、整流電圧調整ユニット２２０から出力される安定化電源ＶＣＣの電圧が一瞬に上昇し、このとき、安定化電源ＶＣＣの電圧が第１定電圧放電管ＺＤ１の定格電圧（即ち、第１所定電圧）を超えれば、主制御チップ２０は、第１トランジスタＱ１が導通するように制御し、負荷１０を再びオンにすることによって、安定化電源ＶＣＣの電圧を低下させ、安定化電源ＶＣＣの電圧を制限するという目的を達成させ、即ち、安定化電源ＶＣＣの電圧を第１定電圧放電管ＺＤ１の定格電圧以下にする。
【００４４】
負荷１０が突然にオンになったとき、無線給電側１００が十分なパワーを供給しないため、整流電圧調整ユニット２２０から出力される安定化電源ＶＣＣの電圧が下がり、このとき、安定化電源ＶＣＣの電圧が第２定電圧放電管ＺＤ４の定格電圧（即ち、第２所定電圧）よりも低ければ、主制御チップ２０は、第２トランジスタＱ２がオフになり、負荷１０をオフにするように制御することによって、安定化電源ＶＣＣの電圧を制限するという目的を達成させ、即ち、安定化電源ＶＣＣの電圧を第２定電圧放電管ＺＤ４の定格電圧以上にする。
【００４５】
前記のとおり、該実施例で説明された安定化電源ＶＣＣは、整流電圧調整ユニット２２０で共振受信ユニット２１０が受け取る電気エネルギーを処理することによって得られ得る。
【００４６】
以下、図面を参照しながら、共振受信ユニット２１０及び整流電圧調整ユニット２２０の具体的な回路構造を詳細に説明する。
【００４７】
本発明の一実施例では、図２及び３に示されるように、共振受信ユニット２１０は、無線受信コイルＬ１、第１共振コンデンサＣ３及び第２共振コンデンサＣ５を備えることができ、無線受信コイルＬ１は、無線給電側１００の無線送信コイルＬ２に適合して設けられ、無線受信コイルＬ１は、無線給電側１００と無線受信側２００との間で電気エネルギーを伝送するように、無線送信コイルＬ２に電磁結合される。第１共振コンデンサＣ３の一端は、無線受信コイルＬ１の一端に接続され、第１共振コンデンサＣ３の他端は第２共振コンデンサＣ５の一端に接続され且つ第１ノードＪ１を有し、第２共振コンデンサＣ５の他端は無線受信コイルＬ１の他端に接続され且つ第２ノードＪ２を有する。
【００４８】
本発明の別の実施例では、図３に示されるように、整流電圧調整ユニット２２０は、整流ブリッジ２２１及び定電圧回路２２２を備えることができ、整流ブリッジ２２１の第１入力端は第１ノードＪ１に接続され、整流ブリッジ２２１の第２入力端は第２ノードＪ２に接続され、整流ブリッジ２２１の第１出力端は定電圧回路２２２に接続され、整流ブリッジ２２１の第２出力端は接地する。
【００４９】
さらに、図３に示されるように、整流ブリッジ２２１は、第１ダイオードＤ１、第２ダイオードＤ２、第３ダイオードＤ３及び第４ダイオードＤ４を備えることができ、第１ダイオードＤ１の陰極は第３ノードＪ３に接続され、第１ダイオードＤ１の陽極は第３ダイオードＤ３の陰極及び第１ノードＪ１のそれぞれに接続され、第３ダイオードＤ３の陽極は接地し、第２ダイオードＤ２の陰極は第３ノードＪ３に接続され、第２ダイオードＤ２の陽極は第４ダイオードＤ４の陰極及び第２ノードＪ２のそれぞれに接続され、第４ダイオードＤ４の陽極は接地する。
【００５０】
定電圧回路２２２は、第１電解コンデンサＥＣ１、第４抵抗Ｒ１、第５抵抗Ｒ２及び第１コンデンサＣ６を備えることができ、第１電解コンデンサＥＣ１の正極側は整流ブリッジ２２１の第１出力端に接続され、第１電解コンデンサＥＣ１の負極側は接地し、第４抵抗Ｒ１の一端は第１電解コンデンサＥＣ１の正極側に接続され且つ第３ノードＪ３を有し、定電圧回路２２２は、第３ノードＪ３を介して安定化電源を出力し、第５抵抗Ｒ２の一端は第４抵抗Ｒ１の他端に接続され、第５抵抗Ｒ２の他端は接地し、第１コンデンサＣ６は第５抵抗Ｒ２に並列接続される。
【００５１】
具体的には、図３に示されるように、共振受信ユニット２１０は、無線受信コイルＬ１で共振発信ユニット１１０が生じた交番電磁界を誘導するとともに、第１共振コンデンサＣ３及び第２共振コンデンサＣ５で無線受信コイルＬ１により誘導された交番電磁界を誘導電圧信号に変換する。次に、該誘導電圧信号は、整流ブリッジ２２１により整流されると誘導電流を生成し、次に、定電圧回路２２２は、上記の回路構造で該誘導電流を処理して、安定電源ＶＣＣを出力する。これに加えて、整流ブリッジ２２１及び定電圧回路２２２による処理過程は、従来技術によって実現することができ、ここで詳しく説明しない。
【００５２】
前記のとおり、本発明の実施例に係る電磁誘導式無線給電システムの負荷急変保護回路では、負荷が突然にオフになり安定化電源の電圧が第１所定電圧よりも高くなる場合、過電圧保護ユニットにより負荷をオンにし、負荷が突然にオンになり安定化電源の電圧が第２所定電圧よりも低くなる場合、不足電圧保護ユニットにより負荷をオフにする。それによって、負荷急変による回路におけるデバイスの破壊、システムの作動停止などの問題を効果的に解決できる。
【００５３】
また、本発明の実施例は、たとえば図２に示されるように、上記の負荷急変保護回路を備える電磁誘導式無線給電システムをさらに提供し、ここで詳しく説明しない。
【００５４】
本発明の実施例に係る電磁誘導式無線給電システム、上記電磁誘導式無線給電システムの負荷急変保護回路によって、負荷急変による回路におけるデバイスの破壊、システムの作動停止などの問題を効果的に解決できる。
【００５５】
さらに、本発明の実施例は、上記電磁誘導式無線給電システムを備える別体式調理器具をさらに提供する。たとえば、別体式調理器具は、別体式炊飯器又は別体式電気圧力鍋などであってもよい。
【００５６】
本発明の実施例に係る別体式調理器具は、上記電磁誘導式無線給電システムによって、負荷急変による回路におけるデバイスの破壊、システムの作動停止などの問題を効果的に解決できる。
【００５７】
なお、本発明の説明において、「中心」、「縦方向」、「横方向」、「長さ」、「幅」、「厚さ」、「上」、「下」、「前」、「後」、「左」、「右」、「垂直」、「水平」、「頂」、「底」、「内」、「外」、「時計回り」、「反時計回り」、「軸方向」、「径方向」、「円周方向」などの用語により示される方位又は位置関係は、図面に示される方位又は位置関係に基づくものであり、本発明の説明の便宜及び説明の簡素化のために過ぎず、示される装置又は素子が必ず特定の方位を有したり、特定方位で構造又は操作されたりすることを指示又は示唆するものではなく、したがって、本発明に対する制限として理解できない。
【００５８】
さらに、用語「第１」、「第２」は、説明するために過ぎず、相対重要性を指示又は示唆するか、又は示される技術的特徴の数を暗黙的に示すものとして理解できない。それによって、「第１」、「第２」により限定される特徴は、１つ又は複数の該特徴を明示的又は暗黙的に含むことができる。本発明の説明において、「複数」は、特に明確に限定されない限り、２つ以上を意味する。
【００５９】
本発明では、明確な規定や限定がない限り、用語「取り付け」、「連結」、「接続」、「固定」などの用語は、広義で理解すべきであり、たとえば、固定して接続されてもよく、取り外し可能に接続されてもよく、又は一体にしてもよいし、機械的に接続されてもよく、電気的に接続されてもよいし、直接接続されてもよく、媒体物を介して間接的に接続されてもよく、２つの素子の内部が連通してもよく、又は２つの素子が相互作用関係を有してもよい。当業者であれば、具体的な状況に応じて本発明における上記用語の具体的な意味を理解できる。
【００６０】
本発明では、明確な規定や限定がない限り、第１特徴が第２特徴の「上」又は「下」にあるとは、第１、第２特徴が直接接触するか、又は第１、第２特徴が媒体物を介して間接的に接触する。さらに、第１特徴が第２特徴の「上」、「上方」及び「上面」にあるとは、第１特徴が第２特徴の真上又は斜上方にあるか、又は第１特徴の水平面からの高さが第２特徴のそれよりも高いことを意味する。第１特徴が第２特徴の「下」、「下方」及び「下面」にあるとは、第１特徴が第２特徴の真下又は斜下方にあるか、又は第１特徴の水平面からの高さが第２特徴のそれよりも低いことを意味する。
【００６１】
本明細書の説明において、用語「一実施例」、「いくつかの実施例」、「例」、「具体例」、又は「いくつかの例」などの記載は、該実施例又は例を参照しながら説明する具体的な特徴、構造、材料又特性が、本発明の少なくとも１つの実施例又は例に含まれることを意味する。本明細書では、上記用語の例示的な表現は、同一の実施例又は例を指すとは限らない。さらに、説明される具体的な特徴、構造、材料又は特性は、いずれか１つ又は複数の実施例又は例において適切な方式で組み合わせることができる。さらに、互いに矛盾しない限り、当業者であれば、本明細書に記載されている各種実施例又は例及び各種実施例又は例の特徴を組み合わせることができる。
【００６２】
以上、本発明の実施例を示して説明したものの、上記実施例は例示的なものに過ぎず、本発明を制限するものとして理解してはならず、当業者であれば、本発明の範囲を逸脱せずに上記実施例に対して変化、修正、置換及び変形を行うことができる。
【符号の説明】
【００６３】
１０  負荷
２０  主制御チップ
３０  主制御チップ
１００  無線給電側
１１０  共振発信ユニット
１２０  コイル駆動回路
１３０  通信復調回路
２００  無線受信側
２２０  整流電圧調整ユニット
２２１  整流ブリッジ
２２２  定電圧回路
２３１  過電圧保護ユニット
２３２  不足電圧保護ユニット
【図１】
2021500718.tif 000003
【図２】
2021500718.tif 000004
【図３】
2021500718.tif 000005
【手続補正書】
【提出日】令和2年4月23日(2020.4.23)
【手続補正１】
【補正対象書類名】特許請求の範囲
【補正対象項目名】全文
【補正方法】変更
【補正の内容】
【特許請求の範囲】
【請求項１】
電磁誘導式無線給電システムの負荷急変保護回路であって、
前記電磁誘導式無線給電システムは、無線給電側（１００）及び無線受信側（２００）を備え、前記無線受信側（２００）は、共振受信ユニット（２１０）、前記共振受信ユニット（２１０）に接続された整流電圧調整ユニット（２２０）を備え、前記整流電圧調整ユニット（２２０）は、前記共振受信ユニット（２１０）が受け取る電気エネルギーを処理することにより、安定化電源ＶＣＣを出力し、
前記負荷急変保護回路（２３０）は、
前記安定化電源ＶＣＣ及び負荷（１０）のそれぞれに接続され、前記負荷（１０）が突然にオフになり前記安定化電源ＶＣＣの電圧が第１所定電圧よりも高くなる場合に前記負荷（１０）をオンにする過電圧保護ユニット（２３１）と、
前記安定化電源ＶＣＣ及び前記負荷（１０）のそれぞれに接続され、前記負荷（１０）が突然にオンになり前記安定化電源ＶＣＣの電圧が第２所定電圧より低くなる場合に前記負荷（１０）をオフにする不足電圧保護ユニット（２３２）と、を備える、
ことを特徴とする電磁誘導式無線給電システムの負荷急変保護回路。
【請求項２】
前記過電圧保護ユニット（２３１）は、
陰極が前記安定化電源ＶＣＣ及び前記負荷（１０）のそれぞれの正極側に接続される第１定電圧放電管ＺＤ１と、
一端が前記第１定電圧放電管ＺＤ１の陽極に接続される第１抵抗Ｒ３と、
ベースＢが前記第１抵抗Ｒ３の他端に接続され、エミッタＥが接地し、コレクターＣが前記負荷（１０）の負極側に接続される第１トランジスタＱ１と、を備え、
前記不足電圧保護ユニット（２３２）は、
陰極が前記安定化電源ＶＣＣ及び前記負荷（１０）のそれぞれの正極側に接続される第２定電圧放電管ＺＤ４と、
一端が前記第２定電圧放電管ＺＤ４の陽極に接続される第２抵抗Ｒ１９と、
ベースＢが前記第２抵抗Ｒ１９の他端に接続され、エミッタＥが接地する第２トランジスタＱ２と、
エミッタＥが前記第２トランジスタＱ２のコレクターＣに接続され、コレクターＣが前記負荷（１０）の負極側に接続され、ベースＢが第３抵抗Ｒ４を介して前記無線受信側（２００）の主制御チップ（２０）に接続され、前記無線受信側（２００）の主制御チップ（２０）の制御により導通又は遮断する第３トランジスタＱ３と、を備える
ことを特徴とする請求項１に記載の電磁誘導式無線給電システムの負荷急変保護回路。
【請求項３】
前記共振受信ユニット（２１０）は、
前記無線給電側（１００）の無線送信コイルＬ２に適合して設けられ、前記無線送信コイルＬ２に電磁結合されて前記無線給電側（１００）と前記無線受信側（２００）との間で電気エネルギーを伝送することを可能にする無線受信コイルＬ１と、
第１共振コンデンサＣ３の一端が無線受信コイルＬ１の一端に接続され、第１共振コンデンサＣ３の他端が第２共振コンデンサＣ５の一端に接続され且つ第１ノードＪ１を有し、第２共振コンデンサＣ５の他端が無線受信コイルＬ１の他端に接続され且つ第２ノードＪ２を有する第１共振コンデンサＣ３及び第２共振コンデンサＣ５と、を備え、
前記整流電圧調整ユニット（２２０）は、整流ブリッジ（２２１）及び定電圧回路（２２２）を備え、前記整流ブリッジ（２２１）の第１入力端が前記第１ノードＪ１に接続され、前記整流ブリッジ（２２１）の第２入力端が前記第２ノードＪ２に接続され、前記整流ブリッジ（２２１）の第１出力端が前記定電圧回路（２２２）に接続され、前記整流ブリッジ（２２１）の第２出力端が接地し、
前記定電圧回路（２２２）は、
正極側が前記整流ブリッジ（２２１）の第１出力端に接続され、負極側が接地する第１電解コンデンサＥＣｌと、
一端が前記第１電解コンデンサＥＣ１の正極側に接続され且つ第３ノードＪ３を有し、前記定電圧回路（２２２）が前記第３ノードＪ３を介して前記安定化電源ＶＣＣを出力する第４抵抗Ｒ１と、
一端が前記第４抵抗Ｒ１の他端に接続され、他端が接地する第５抵抗Ｒ２と、
前記第５抵抗Ｒ２に並列接続される第１コンデンサＣ６と、を備える、
ことを特徴とする請求項１に記載の電磁誘導式無線給電システムの負荷急変保護回路。
【請求項４】
前記無線受信側（２００）は、通信復調回路（２４０）及び通信変調回路（２５０）を備え、前記通信復調回路（２４０）は、主制御チップ（２０）と前記無線受信コイルＬ１の他端との間に接続され、前記通信変調回路（２５０）は、前記主制御チップ（２０）と前記無線受信コイルＬ１の一端との間に接続され、前記主制御チップ（２０）は、前記無線受信コイルＬ１及び前記通信復調回路（２４０）を介して前記無線給電側（１００）から送信される通信情報を受信し、前記通信変調回路（２５０）及び前記無線受信コイルＬ１を介して前記無線給電側（１００）に通信情報を送信する、
ことを特徴とする請求項３に記載の電磁誘導式無線給電システムの負荷急変保護回路。
【請求項５】
請求項１〜３のいずれか１項に記載の電磁誘導式無線給電システムの負荷急変保護回路を備える電磁誘導式無線給電システムを、備える別体式調理器具であって、
前記無線給電側は、別体式調理器具の釜体の内部に設けられ、前記無線受信側は、別体式調理器具の釜蓋の内部に設けられる、
ことを特徴とする別体式調理器具。
【請求項６】
別体式炊飯器又は別体式電気圧力鍋である、
ことを特徴とする請求項５に記載の別体式調理器具。
【国際調査報告】
2021500718.tif 000006
2021500718.tif 000007
2021500718.tif 000008
2021500718.tif 000009
2021500718.tif 000010